(57)【要約】【課題】  グリップ部に対するストラップ部の着脱を容易，スムーズかつ確実に行えるようにして使い易さや利便性を高めるとともに、大幅なコスト低減、更にはメンテナンス及び手入れ等の容易化を図る。【解決手段】  グリップ部３の背面部位３ｒにおけるストラップ部４を装着する一側外面位置Ｘｇｒから背面部位３ｒ以外の部位における他側外面位置Ｘｇｆに貫通形成したストラップ装着孔部６と、このストラップ装着孔部６に対して挿入可能に形成し、前端部Ｘｆに、一側外面位置Ｘｇｒにおける一端開口６ｒからストラップ装着孔部６に挿入した際に当該ストラップ装着孔部６の他端開口６ｆのエッジ部６ｆｅに係止可能な固定爪部７ｃを有するとともに、後端部Ｘｒに、ストラップ部４に結合可能な結合部７ｊ及び一端開口６ｒへの挿入が規制される規制部７ｓを有するストラップ着脱部材７とを備える。【選択図】  図１
2020081691.tif 000002
【特許請求の範囲】
【請求項１】
ポール本体部と、このポール本体部の上端に設けたグリップ部と、このグリップ部に設けるストラップ部と、前記ポール本体部の下端に設けた緩衝石突部とを、少なくとも備えてなるウォーキングポールにおいて、前記グリップ部の背面部位における前記ストラップ部を装着する一側外面位置から前記背面部位以外の部位における他側外面位置に貫通形成したストラップ装着孔部と、このストラップ装着孔部に対して挿入可能に形成し、前端部に、前記一側外面位置における一端開口から前記ストラップ装着孔部に挿入した際に当該ストラップ装着孔部の他端開口のエッジ部に係止可能な固定爪部を有するとともに、後端部に、前記ストラップ部に結合可能な結合部及び前記一端開口への挿入が規制される規制部を有するストラップ着脱部材とを備えることを特徴とするウォーキングポール。
【請求項２】
前記ストラップ装着孔部は、前記一端開口から前上がりに傾斜させて形成することを特徴とする請求項１記載のウォーキングポール。
【請求項３】
前記ストラップ装着孔部は、前記一端開口の端縁部に、前記規制部に係止可能な規制爪部を有することを特徴とする請求項１又は２記載のウォーキングポール。
【請求項４】
前記ストラップ着脱部材は、前記規制部に、前記ストラップ装着孔部の内面に係合して当該規制部を前記規制爪部に対して押圧することによりロック可能なロック凸部を有することを特徴とする請求項３記載のウォーキングポール。
【請求項５】
前記ストラップ着脱部材は、前記一端開口に挿入する際に、前記規制爪部を逃がすことにより、前記固定爪部の進入を許容する逃げ凹部を有することを特徴とする請求項３又は４記載のウォーキングポール。
【請求項６】
前記ストラップ着脱部材は、長手方向の中間部位に弾性変形可能な弾性連結部を有することを特徴とする請求項１〜５のいずれかに記載のウォーキングポール。
【請求項７】
前記ストラップ部は、他端側に設けたバックルに、一端側を通して結合することにより前記グリップ部と使用者の手に巻付ける装着バンド部間の長さを調整する長さ調整機能，及び前記ストラップ着脱部材を保持する保持機能を有する結合バンド部を備えることを特徴とする請求項１〜６のいずれかに記載のウォーキングポール。
【発明の詳細な説明】
【技術分野】
【０００１】
本発明は、ノルディックウォーキングを行う際に用いて好適なウォーキングポールに関する。
【背景技術】
【０００２】
一般に、健康増進などを目的としたノルディックウォーキングは、老若男女を問わず広く普及している。ノルディックウォーキングは、ポールを手に持ってウォーキングを行うため、ノルディックウォーキング専用のウォーキングポールも各種提供されている。
【０００３】
従来、この種のウォーキングポールとしては、既に本出願人が提案した特許文献１に開示されるウォーキングポール及び特許文献２に開示される多目的ポールが知られている。同文献１に開示されるウォーキングポールは、若い人から高齢者までのあらゆる年齢層に対するマッチングの容易化を図り、汎用性を高めるとともに、十分な使用感を確保し、使用中の安定性及び安全性，更には運動効果をより高めることを目的としたものであり、具体的な構成としては、ポール本体部と、このポール本体部の上端に設けたグリップ部と、このグリップ部に設けたストラップ部と、ポール本体部の下端に設けた緩衝石突部とを備えるウォーキングポールを構成するに際して、グリップ部に設けたラッチ機構部と、このラッチ機構部に対して着脱するストラップ部に設けたストライカと、このストライカとストラップ部を連結する連結部と、この連結部の長さを変更可能な連結長さ調整部と、ストラップ部を装着した使用者の手に当該ストラップ部を固定可能な締付バンド部とを設けたものである。
【０００４】
また、同文献２に開示される多目的ポールは、使用する部品点数を大幅に削減し、全体の低コスト性及び資源節約性を高めるとともに、保管性及び携帯性を高めて使用時の利便性を向上させることを目的としたものであり、具体的な構成としては、グリップ本体部及びストラップ部を有するグリップ部における当該グリップ本体部とポール部を一体に構成したポールユニットと、異なる目的に対応した複数のストラップ部と、グリップ本体部に対して複数のストラップ部を選択的に取付け又は取外し可能にするストラップ着脱部と、異なる目的に対応した複数の石突部と、ポール部の下端部に対して複数の石突部を選択的に取付け又は取外し可能にする石突着脱部とを設けたものである。
【先行技術文献】
【特許文献】
【０００５】
【特許文献１】特開２０１７−１２７５２６号公報
【特許文献２】特開２０１８−１２１６８７号公報
【発明の概要】
【発明が解決しようとする課題】
【０００６】
しかし、上述したウォーキングポールをはじめ、従来におけるウォーキングポールは、使い易さや利便性、更には低コスト性を高める観点からは更なる改善すべき課題も残されていた。
【０００７】
即ち、従来のウォーキングポールは、グリップ部に対してストラップ部を着脱可能に構成するも、その目的は、使用者に対するマッチング性や使用者が選択できる多目的性などを考慮したものである。したがって、この目的を達成する手段として、例えば、特許文献１の場合は、ラッチ機構部とストライカの組合わせによる着脱機構を採用し、また、特許文献２の場合は、ネジを用いた着脱機構を採用している。
【０００８】
ところで、ウォーキングポールのグリップ部には、使用者の手に対して固定する固定式のグリップ部を用いる場合も少なくない。この理由は、主として、握力の低い年配者（高齢者）などが使用した際に、使用中のウォーキングポールが手から落下することを阻止するためである。
【０００９】
一方、このような固定式のストラップ部の場合、休憩時などにおいては極めて不便である。即ち、ストラップ部にウォーキングポール全体が連結した状態になるため、例えば、トイレを使用する際や飲食を行う際には邪魔になり、本来の動作の自由が制限されるのみならず、手を動かした際にはウォーキングポール全体も追従するため、安全面においても難がある。
【００１０】
したがって、この場合、グリップ部に対するストラップ部の着脱をできるだけ容易かつスムーズに行うことができるとともに、より確実に行なうことができれば、最適となるが、従来のウォーキングポールは、必ずしもこのような要請に対して十分に応えているとはいえない。しかも、構造面においてもラッチ機構部を設けるなど、着脱機構の構造が複雑化する傾向にあるため、コスト面やメンテナンス面で不利になるなど、使い易さや利便性、更には低コスト性及びメンテナンス性をより高める観点からは更なる改善すべき課題も残されていた。
【００１１】
本発明は、このような背景技術に存在する課題を解決したウォーキングポールの提供を目的とするものである。
【課題を解決するための手段】
【００１２】
本発明に係るウォーキングポール１は、上述した課題を解決するため、ポール本体部２と、このポール本体部２の上端に設けたグリップ部３と、このグリップ部３に設けるストラップ部４と、ポール本体部２の下端に設けた緩衝石突部５とを、少なくとも備えてなるウォーキングポールを構成するに際して、グリップ部３の背面部位３ｒにおけるストラップ部４を装着する一側外面位置Ｘｇｒから背面部位３ｒ以外の部位における他側外面位置Ｘｇｆに貫通形成したストラップ装着孔部６と、このストラップ装着孔部６に対して挿入可能に形成し、前端部Ｘｆに、一側外面位置Ｘｇｒにおける一端開口６ｒからストラップ装着孔部６に挿入した際に当該ストラップ装着孔部６の他端開口６ｆのエッジ部６ｆｅに係止可能な固定爪部７ｃを有するとともに、後端部Ｘｒに、ストラップ部４に結合可能な結合部７ｊ及び一端開口６ｒへの挿入が規制される規制部７ｓを有するストラップ着脱部材７とを備えることを特徴とする。
【００１３】
この場合、発明の好適な態様により、ストラップ装着孔部６は、一端開口６ｒから前上がりに傾斜させて形成することができるとともに、一端開口６ｒの端縁部に、規制部７ｓに係止可能な規制爪部６ｒｓを設けることができる。他方、ストラップ着脱部材７の規制部７ｓには、ストラップ装着孔部６の内面６ｉに係合して当該規制部７ｓを規制爪部６ｒｓに対して押圧することによりロック可能なロック凸部７ｐを設けることができる。また、ストラップ着脱部材７には、一端開口６ｒに挿入する際に、規制爪部６ｒｓを逃がすことにより、固定爪部７ｃの進入を許容する逃げ凹部７ｇを設けることができる。さらに、ストラップ着脱部材７には、長手方向Ｆｓの中間部位Ｘｍに弾性変形可能な弾性連結部７ｄを設けることができる。加えて、ストラップ部４には、他端側１４ｔに設けたバックル１４ｂに、一端側１４ｓを通して結合することにより、グリップ部３と使用者の手Ｈｈに巻付ける装着バンド部１１間の間隔を調整する長さ調整機能，及びストラップ着脱部材７を保持する保持機能を有してなる結合バンド部１４を設けることができる。
【発明の効果】
【００１４】
このような構成を有する本発明に係るウォーキングポール１によれば、次のような顕著な効果を奏する。
【００１５】
（１）  グリップ部３の背面部位３ｒにおけるストラップ部４を装着する一側外面位置Ｘｇｒから背面部位３ｒ以外の部位における他側外面位置Ｘｇｆに貫通形成したストラップ装着孔部６と、このストラップ装着孔部６に対して挿入可能に形成し、前端部Ｘｆに、一側外面位置Ｘｇｒにおける一端開口６ｒからストラップ装着孔部６に挿入した際に当該ストラップ装着孔部６の他端開口６ｆのエッジ部６ｆｅに係止可能な固定爪部７ｃを有するとともに、後端部Ｘｒに、ストラップ部４に結合可能な結合部７ｊ及び一端開口６ｒへの挿入が規制される規制部７ｓを有するストラップ着脱部材７とを備えるため、グリップ部３に対してストラップ部４を装着する際には、ストラップ装着孔部６に対してストラップ着脱部材７を挿入する（差込む）操作のみで行うことができるとともに、ストラップ部４を離脱する際には、固定爪部７ｃを指先で操作した後、ストラップ着脱部材７を引き抜く操作のみで行うことができるなど、ストラップ部４の着脱を、容易かつスムーズ、更には確実に行うことができる。これにより、この種のウォーキングポール１の使い易さ及び利便性をより高めることができる。
【００１６】
（２）  実施に際しては、単一部品として形成可能なストラップ着脱部材７を用意すれば足りるため、構造の簡易化及び単純化を実現できる。したがって、大幅なコスト低減を図れるとともに、着脱機構において破損等のトラブルが生じた場合であっても、ストラップ着脱部材７の交換により対応できるなど、メンテナンスや手入れ等も容易に行うことができる。
【００１７】
（３）  好適な態様により、ストラップ装着孔部６を、一端開口６ｒから前上がりに傾斜させて形成すれば、前側に位置する他端開口６ｆは、グリップ部３の上部（上端部）に位置、即ち、グリップ部３を使用者が手で握る位置よりも上側の位置に設けることができるため、使用時に邪魔になることはなく、本来のグリップ部３の機能に影響を与える不具合を回避できる。
【００１８】
（４）  好適な態様により、ストラップ装着孔部６における一端開口６ｒの端縁部に、規制部７ｓに係止可能な規制爪部６ｒｓを設ければ、ストラップ着脱部材７を所定の位置（最大挿入位置）まで挿入することにより、規制部７ｓが規制爪部６ｒｓに係止して規制される。この結果、ストラップ着脱部材７における、前端部Ｘｆ側は、固定爪部７ｃの係止により後方への変位が規制され、後端部Ｘｒ側は、規制部７ｓの係止により前方への変位が規制されるため、ストラップ着脱部材７に対する前後方向の規制（固定）を容易かつ確実に行なうことができる。
【００１９】
（５）  好適な態様により、ストラップ着脱部材７の規制部７ｓに、ストラップ装着孔部６の内面６ｉに係合して当該規制部７ｓを規制爪部６ｒｓに対して押圧することによりロック可能なロック凸部７ｐを設ければ、ストラップ着脱部材７を、最大挿入位置まで挿入する操作のみにより、いわば自動でロック機能を発揮させることができるなど、簡易な構成によりロック機構を構築することができるとともに、容易なロック操作を実現することができる。
【００２０】
（６）  好適な態様により、ストラップ着脱部材７に、一端開口６ｒに挿入する際に、規制爪部６ｒｓを逃がすことにより、固定爪部７ｃの進入を許容する逃げ凹部７ｇを設ければ、一端開口６ｒに規制爪部６ｒｓを設ける場合であっても、この規制爪部６ｒｓの存在が支障になることなくストラップ着脱部材７の挿入操作を行うことができるとともに、規制爪部６ｒｓを逃げ凹部７ｇに係合させることにより、ストラップ着脱部材７を挿入する際のガイドとして利用することができる。
【００２１】
（７）  好適な態様により、ストラップ着脱部材７における長手方向Ｆｓの中間部位Ｘｍに、弾性変形可能な弾性連結部７ｄを設ければ、ストラップ装着孔部６に対するストラップ着脱部材７の挿入時及び離脱時、更には装着時（固定時）における弾性変形が許容されるため、ストラップ装着孔部６に対してストラップ着脱部材７を着脱する際における操作性及び操作の確実性を高めることができるとともに、装着時における無用なガタ付き等を防止することができる。
【００２２】
（８）  好適な態様により、ストラップ部４に、他端側１４ｔに設けたバックル１４ｂに、一端側１４ｓを通して結合することにより、グリップ部３と使用者の手Ｈｈに巻付ける装着バンド部１１間の間隔を調整する長さ調整機能，及びストラップ着脱部材７を保持する保持機能を有してなる結合バンド部１４を設ければ、使用者の手Ｈｈの大きさや使用者の好み等に応じてストラップ部４とグリップ部３間の間隔を自由に調整することができる。
【図面の簡単な説明】
【００２３】
【図１】本発明の好適実施形態に係るウォーキングポールにおけるグリップ部とストラップ部を示す一部断面側面図、
【図２】同ウォーキングポールにおけるストラップ装着孔部にストラップ着脱部材を装着した状態を示す平面図、
【図３】同ウォーキングポールにおけるストラップ着脱部材の断面側面図、
【図４】同ウォーキングポールにおけるストラップ着脱部材の平面図、
【図５】同ウォーキングポールの全体を示す外観側面図、
【図６】同ウォーキングポールにおけるストラップ装着孔部を抽出拡大して示す断面側面図、
【図７】同ウォーキングポールにおけるストラップ装着孔部にストラップ着脱部材を挿入する直前の状態を抽出拡大して示す断面側面図、
【図８】同ウォーキングポールにおけるストラップ装着孔部にストラップ着脱部材を装着した状態を抽出拡大して示す断面側面図、
【図９】同ウォーキングポールにおけるストラップ装着孔部からストラップ着脱部材を離脱させる際の状態を抽出拡大して示す断面側面図、
【図１０】同ウォーキングポールにおけるグリップ部にストラップ部を装着した状態を示す使用時の斜視図、
【図１１】同ウォーキングポールにおけるグリップ部からストラップ部を離脱した状態を示す使用時の斜視図、
【発明を実施するための形態】
【００２４】
次に、本発明に係る好適実施形態を挙げ、図面に基づき詳細に説明する。
【００２５】
まず、本実施形態に係るウォーキングポール１の基本構成について、図１及び図５（図１１）を参照して説明する。
【００２６】
ウォーキングポール１は、図５に示すように、大別して、ポール本体部２と、このポール本体部２の上端に設けたグリップ部３と、このグリップ部３に着脱するストラップ部４と、ポール本体部２の下端に設けた緩衝石突部５を備える。
【００２７】
ポール本体部２は、径の異なる複数のポール材、即ち、上側に位置し、かつ下端に伸縮ロック部１０を設けた上ポール材２ｕと、下側に位置し、かつ当該ポール材２ｕよりも径が小さい下ポール材２ｄを組合わせた伸縮ポール体として構成することにより伸縮調整機能を備える。なお、いずれのポール材２ｕ，２ｄも、軽量金属素材等により丸パイプ状に形成する。そして、ポール本体部２（下ポール材２ｄ）の下端に、ゴム素材等の弾性素材により一体成形した緩衝石突部５を取付ける。
【００２８】
これにより、伸縮ロック部１０の操作レバーをロック解除位置に操作すれば、ロックを解除できるため、上ポール材２ｕに対して下ポール材２ｄを挿入して短縮させることができるとともに、上ポール材２ｕに対して下ポール材２ｄを引出して伸長させることができる。また、伸縮ロック部１０の操作レバーをロック位置に操作することにより、調整した伸縮位置をロックすることができる。なお、図５において、実線は、上ポール材２ｕに対して下ポール材２ｄを挿入した短縮状態の一例を示すとともに、仮想線は、上ポール材２ｕに対して下ポール材２ｄを引出した伸長状態の一例を示す。
【００２９】
グリップ部３は、図１に示すように、使用者が手で握ることができるように、合成樹脂や合成ゴム等の素材により一体に形成する。外観的（デザイン的）には、全体を、ほぼ丸棒状に形成し、特に、上端部形状は、本実施形態に係るウォーキングポール１の構成を考慮して斜め上方を向いた傾斜前面部３ｓにより形成する。また、下端面からグリップ部３の中間位置には、軸方向に沿ったポール装着穴３ｉを設ける。このポール装着穴３ｉにポール本体部２（上ポール材２ｕ）の上端部を挿入してポール本体部２とグリップ部３を一体化することができる。
【００３０】
ストラップ部４は、図１及び図１１に示すように、使用者の手Ｈｈに装着（固定）可能に構成する。このため、ストラップ部４は、使用者の手首Ｈｎに巻付ける装着バンド部１１を備える。この装着バンド部１１は、一端側１１ｐにバックル１１ｂを備えるため、装着バンド部１１の他端側１１ｑをバックル１１ｂに通して折り返し、この他端側１１ｑにおける先端側を、面ファスナ等により、他端側１１ｑにおける後端側に対して止着することができる。また、この装着バンド部１１の一端側寄りの位置から延設して手の平に至らせる第一バンド補助部１２と、装着バンド部１１の他端側寄りの位置から延設して手の甲側から手の平に至らせる第二バンド補助部１３を備えるとともに、第一バンド補助部１２の先端と第二バンド補助部１３の先端を連結し、かつ前述したグリップ部３側への結合機能を有する結合バンド部１４と、第一バンド補助部１２の先端側と第二バンド補助部１３の先端側を連結するゴムバンド部１５を備える。
【００３１】
この場合、結合バンド部１４は、他端側１４ｔに設けたバックル１４ｂに、一端側１４ｓを通すことにより結合することができ、バックル１４ｂに対する結合位置を選定することにより、結合バンド部１４の長さ、即ち、グリップ部３と装着バンド部１１間の間隔を調整することができる長さ調整機能を備えている。これにより、使用者の手Ｈｈの大きさや使用者の好み等に応じてストラップ部４とグリップ部３間の間隔を自由に調整することができる。また、この結合バンド部１４は、後述するストラップ着脱部材７を保持する保持機能を備えている。
【００３２】
ストラップ部４は、このような構成を有するため、装着バンド部１１の後端には、手Ｈｈを後方から挿入可能な後端挿入口部Ｓｉが設けられるとともに、第一バンド補助部１２と第二バンド補助部１３間における一方側には、親指Ｈｈｐを前方へ突出させることができる第一突出口部Ｓｏａが設けられ、また、第一バンド補助部１２と第二バンド補助部１３間における他方側には、親指Ｈｈｐ以外の指を前方へ突出させることができる第二突出口部Ｓｏｂが設けられる。
【００３３】
次に、本実施形態に係るウォーキングポール１の要部構成について、図１〜図６を参照して具体的に説明する。
【００３４】
ウォーキングポール１は、要部構成として、グリップ部３側に設けるストラップ装着孔部６と、ストラップ部４側に設けるストラップ着脱部材７とを備える。
【００３５】
ストラップ装着孔部６は、図１及び図６に示すように、グリップ部３の背面部位３ｒにおけるストラップ部４を装着する一側外面位置Ｘｇｒから背面部位３ｒ以外の部位における他側外面位置Ｘｇｆ、具体的には、前述した傾斜前面部３ｓ内における他側外面位置Ｘｇｆに貫通形成する。これにより、ストラップ装着孔部６は、前上がりに傾斜し、かつ前側へ行くに従って漸次開口面積が大きくなる。また、断面形状は矩形状となる。したがって、ストラップ装着孔部６における、背面部位３ｒの一側外面位置Ｘｇｒに臨む開口は一端開口６ｒとなり、傾斜前面部３ｓの他側外面位置Ｘｇｆに臨む開口は他端開口６ｆとなる。
【００３６】
ストラップ装着孔部６を、このように形成すれば、前上がりに傾斜するため、前側に位置する他端開口６ｆは、グリップ部３の上部（上端部）に位置、即ち、グリップ部３を使用者Ｈが手Ｈｈで握る位置よりも上側の位置に設けることができるため、使用時に邪魔になることはなく、本来のグリップ部３の機能に影響を与える不具合を回避できる。
【００３７】
また、このように形成することにより、ストラップ装着孔部６の一端開口６ｒの上側の端縁部には、図２及び図６に示すように、斜め下方に突出する規制爪部６ｒｓが形成される。即ち、グリップ部３は、全体を丸棒状に形成するため、前上がりに傾斜するストラップ装着孔部６を形成すれば、同時に、規制爪部６ｒｓも形成されることになる。これにより、この規制爪部６ｒｓは後述するストラップ着脱部材７側の規制部７ｓに対して係止可能、具体的には、結合バンド部１４を介在させて係止可能となる。さらに、ストラップ装着孔部６の他端開口６ｆの下側の端縁部には、後述するストラップ着脱部材７側に設けた固定爪部７ｃが係止可能となるエッジ部６ｆｅが形成される。
【００３８】
他方、ストラップ着脱部材７は、所定の弾性を有する素材により一体形成する。例示のストラップ着脱部材７は、合成樹脂素材（プラスチック素材）による一体成形品である。このストラップ着脱部材７は、図３及び図４に示すように、基本構成として、ストラップ装着孔部６に対して挿入可能に形成し、前端部Ｘｆに、一側外面位置Ｘｇｒにおける一端開口６ｒからストラップ装着孔部６に挿入した際に当該ストラップ装着孔部６の他端開口６ｆのエッジ部６ｆｅに係止可能な固定爪部７ｃを有するとともに、後端部Ｘｒに、ストラップ部４に結合可能な結合部７ｊ及び一端開口６ｒへの挿入が規制される規制部７ｓを有する。
【００３９】
したがって、ストラップ装着孔部６に対して挿入可能な形状（形態）、具体的には、一定の厚さを有する短冊形状の本体部２１を備える。そして、ストラップ着脱部材７の先端部Ｘｆ、即ち、本体部２１の先端から下方に固定爪部７ｃを一体に形成する。また、ストラップ着脱部材７の後端部Ｘｒ、即ち、本体部２１の後端からは弾性連結部７ｄを介して矩形枠状の結合部７ｊを一体に形成する。結合部７ｊは矩形枠状となるため、この結合部７ｊにおける内部空間に、前述した結合バンド部１４を通すことにより、ストラップ部４側を結合することができる。弾性連結部７ｄは、本体部２１と結合部７ｊ間に、所定幅にわたって薄肉形成したものであり、この弾性連結部７ｄは弾性変形可能となる。したがって、この弾性連結部７ｄは、ストラップ着脱部材７の長手方向Ｆｓの中間部位Ｘｍに設けられる。このような弾性連結部７ｄを設ければ、ストラップ装着孔部６に対するストラップ着脱部材７の挿入時及び離脱時、更には装着時（固定時）における弾性変形が許容されるため、ストラップ装着孔部６に対してストラップ着脱部材７を着脱する際における操作性及び操作の確実性を高めることができるとともに、装着時における無用なガタ付き等を防止することができる。
【００４０】
一方、結合部７ｊにおける内部空間の前半部には、図３及び図４に示すように、規制板部７ｓｓを一体に形成する。この規制プレート部７ｓｓは、結合部７ｊの後端辺部７ｊｓと組合わさることにより、ストラップ着脱部材７を一端開口６ｒからストラップ装着孔部６へ挿入する際における挿入位置を規制する規制部７ｓを構成する。したがって、結合部７ｊの一部は規制部７ｓを兼用することになる。
【００４１】
さらに、ストラップ着脱部材７の後端位置、即ち、結合部７ｊの後端辺部７ｊｓから下方にはロック凸部７ｐを突出形成する。これにより、ロック凸部７ｐがストラップ装着孔部６の内面６ｉに係合した際に、規制部７ｓを規制爪部６ｒｓに対して押圧することによりロック可能となる。また、本体部２１の先端部Ｘｆには、逃げ凹部７ｇを形成する。具体的には、図３及び図４に示すように、本体部２１の上面における前端縁の左右方向中央位置から所定長さにわたって凹溝状の逃げ凹部７ｇを形成する。これにより、ストラップ着脱部材７を、一端開口６ｒに挿入する際には、規制爪部６ｒｓを逃がすことができ、固定爪部７ｃの進入が許容される。
【００４２】
このように、本実施形態に係るウォーキングポール１は、単一部品として形成可能なストラップ着脱部材７を用意すれば足りるため、構造の簡易化及び単純化を実現できる。したがって、大幅なコスト低減を図れるとともに、着脱機構において破損等のトラブルが生じた場合であっても、ストラップ着脱部材７の交換により対応できるなど、メンテナンスや手入れ等も容易に行うことができる。
【００４３】
次に、本実施形態に係るウォーキングポール１の使用方法及び各部の機能について、図１〜図１１を参照して説明する。
【００４４】
まず、ウォーキングポール１の非使用時、例えば、保管又は携帯する際には、ポール本体部２を最短長さに短縮することができる。この場合、伸縮ロック部１０の操作レバーを操作し、ロック解除位置に変位させる。これにより、上ポール材２ｕに対する下ポール材２ｄの位置のロックが解除されるため、上ポール材２ｕに下ポール材２ｄを押込むことにより最短長さに短縮できるとともに、伸縮ロック部１０の操作レバーをロック位置に変位させて戻せば、最短長さにロックすることができる。
【００４５】
一方、ウォーキングポール１を使用する際には、ポール本体部２を伸長させることによりウォーキングポール１の全体長さを使用者Ｈにマッチングした最適長さにセットする。この場合、伸縮ロック部１０の操作レバーを操作し、ロック解除位置に変位させることにより、上ポール材２ｕに対する下ポール材２ｄの位置のロックを解除する。そして、上ポール材２ｕから下ポール材２ｄを引き出し、最適長さとなる位置にセットするとともに、この後、伸縮ロック部１０の操作レバーをロック位置に戻せば、上ポール材２ｕに対する下ポール材２ｄの位置をロックすることができる。なお、図示を省略したが、下ポール材２ｄには目盛りを付してあり、上ポール材２ｕに対する下ポール材２ｄの相対的な位置（長さ）を目視により容易かつ的確に確認できる。
【００４６】
また、ウォーキングポール１の使用時には、グリップ部３にストラップ部４を取付ける。この場合、まず、ストラップ部４にストラップ着脱部材７を取付ける。ストラップ着脱部材７の取付けに際しては、図１に示すように、ストラップ部４における結合バンド部１４の一端側１４ｓを、ストラップ着脱部材７における結合部７ｊの内部空間に挿通させた後、他端側１４ｔに設けたバックル１４ｂに、一端側１４ｓを通して結合する。これにより、ストラップ着脱部材７は、結合バンド部１４により保持されるとともに、ストラップ部４に対して取付けることができる。この際、バックル１４ｂに対する一端側１４ｓの結合位置を選定することにより、結合バンド部１４の全体長さ、即ち、ストラップ部４とグリップ部３間の長さを調整することができる。
【００４７】
そして、ストラップ着脱部材７は、グリップ部３に設けたストラップ装着孔部６に装着する。装着に際しては、図７に示すように、ストラップ着脱部材７の先端側（前端部Ｘｆ側）を、グリップ部３における一端開口６ｒからストラップ装着孔部６の内部へ挿入する。この際、一端開口６ｒには規制爪部６ｒｓが存在するが、この規制爪部６ｒｓはストラップ着脱部材７に設けた凹溝状の逃げ凹部７ｇ内に係合するため、規制爪部６ｒｓが存在する場合であっても、この規制爪部６ｒｓの存在が支障になることがなく、ストラップ着脱部材７の挿入操作を容易に行うことができるとともに、規制爪部６ｒｓを逃げ凹部７ｇに係合させることにより、ストラップ着脱部材７を挿入する際のガイドとして利用することができる。
【００４８】
この後、ストラップ着脱部材７を、ストラップ装着孔部６に対して最終の挿入位置まで押し込めば、図８に示すように、固定爪部７ｃが他端開口６ｆのエッジ部６ｆｅに係止し、ストラップ着脱部材７の装着は終了する。また、この状態においては、規制爪部６ｒｓは規制板部７ｓｓに規制されるとともに、規制爪部６ｒｓの先端が結合部７ｊの後端辺部７ｊｓに係合した結合バンド部１４に当接（圧接）する。このように、本実施形態では、ストラップ装着孔部６における一端開口６ｒの端縁部に、規制部７ｓに係止可能な規制爪部６ｒｓを設けたため、ストラップ着脱部材７を所定の位置（最大挿入位置）まで挿入することにより規制部７ｓは規制爪部６ｒｓに係止して規制される。また、この際、図８に示すように、ストラップ着脱部材７の後端位置（後端辺部７ｊｓ）に設けたロック凸部７ｐが、一端開口６ｒに臨むストラップ装着孔部６の内面６ｉに係合し、規制部７ｓを規制爪部６ｒｓに押圧するように作用するため、ストラップ着脱部材７を、最大挿入位置まで挿入する操作のみにより、いわば自動でロック機能を発揮させることができるなど、簡易な構成によりロック機構を構築することができるとともに、容易なロック操作を実現することができる。
【００４９】
これにより、ストラップ着脱部材７における、前端部Ｘｆ側は、他端開口６ｆのエッジ部６ｆｅに固定爪部７ｃが係止するため、後方への変位が規制されるとともに、他方、後端部Ｘｒ側は、規制爪部６ｒｓが規制板部７ｓｓに規制されつつ規制爪部６ｒｓの先端が結合部７ｊの後端辺部７ｊｓに係合した結合バンド部１４に当接（圧接）するため、前方向への変位が規制される。このように、ストラップ着脱部材７に対して、前後方向に対する規制（固定）を容易かつ確実に行なうことができる。この状態が図１の状態、即ち、グリップ部３にストラップ部４を取付けた状態となる。
【００５０】
以上により、ウォーキングポール１は使用できる状態になるため、使用者Ｈは、図１０に示すように、ストラップ部４を手Ｈｈに装着して使用することができる。この場合、ストラップ部４を手Ｈｈに装着する際には、装着バンド部１１の他端側１１ｑを、一端側１１ｐに対して緩めた状態にし、使用者Ｈは、ストラップ部４の後端挿入口部Ｓｉから手Ｈｈを挿入するとともに、親指Ｈｈｐを第一突出口部Ｓｏａから前方へ突出させ、また、親指Ｈｈｐ以外の指を第二突出口部Ｓｏｂから前方へ突出させる。そして、装着バンド部１１を使用者Ｈの手首Ｈｎに位置させ、装着バンド部１１の他端側１１ｑを、一端側１１ｐに対して締め付けて固定する。これにより、使用者Ｈの手Ｈｈに対するストラップ部４の装着が終了するため、使用者Ｈはグリップ部３を握ることによりウォーキングポール１を使用することができる。この状態を図１０に示す。
【００５１】
ところで、今、このようなストラップ部４を有するウォーキングポール１の使用中に、休憩する場合を想定する。この場合、一般的には、ストラップ部３を使用者Ｈの手Ｈｈから取り外せばよいが、年配者（高齢者）などにとって、ストラップ部３の離脱操作（取り外し操作）及びこの後の装着操作（取り付け操作）は、必ずしも容易でなく、面倒な操作となる。
【００５２】
しかし、本実施形態に係るウォーキングポール１は、グリップ部３からストラップ部４を容易に離脱させることができる。この場合、図９に示すように、使用者Ｈは、手Ｈｈの指により、固定爪部７ｃを上方へ変位させるのみで容易に離脱させることができる。即ち、固定爪部７ｃを上方へ変位させれば、固定爪部７ｃがエッジ部６ｆｅから外れるため、そのままグリップ部３をストラップ部４側から引っ張るのみで、ストラップ装着孔部６からストラップ着脱部材７を引き抜くことができ、容易に離脱させることができる。この状態を図１１に示す。
【００５３】
このように、本実施形態に係るウォーキングポール１は、ポール本体部２と、このポール本体部２の上端に設けたグリップ部３と、このグリップ部３に設けるストラップ部４と、ポール本体部２の下端に設けた緩衝石突部５とを、少なくとも備えてなるウォーキングポールを構成するに際して、グリップ部３の背面部位３ｒにおけるストラップ部４を装着する一側外面位置Ｘｇｒから背面部位３ｒ以外の部位における他側外面位置Ｘｇｆに貫通形成したストラップ装着孔部６と、このストラップ装着孔部６に対して挿入可能に形成し、前端部Ｘｆに、一側外面位置Ｘｇｒにおける一端開口６ｒからストラップ装着孔部６に挿入した際に当該ストラップ装着孔部６の他端開口６ｆのエッジ部６ｆｅに係止可能な固定爪部７ｃを有するとともに、後端部Ｘｒに、ストラップ部４に結合可能な結合部７ｊ及び一端開口６ｒへの挿入が規制される規制部７ｓを有するストラップ着脱部材７とを設けて構成したため、グリップ部３に対してストラップ部４を装着する際には、ストラップ装着孔部６に対してストラップ着脱部材７を挿入する（差込む）操作のみで行うことができるとともに、ストラップ部４を離脱する際には、固定爪部７ｃを指先で操作した後、ストラップ着脱部材７を引き抜く操作のみで行うことができるなど、ストラップ部４の着脱を、容易かつスムーズ、更には確実に行うことができる。これにより、この種のウォーキングポール１の使い易さ及び利便性をより高めることができる。
【００５４】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００５５】
例えば、背面部位３ｒ以外の部位として傾斜前面部３ｓを例示したが、傾斜無しの垂直面（鉛直面）による前面部であってもよいし、形状が限定されない上面部であってもよい。また、例示の規制爪部６ｒｓは、一端開口６ｒの縁部の形状をそのまま利用した場合を示したが、専用の規制爪部６ｒｓとして別途形成してもよい。さらに、例示の場合、結合部７ｊと規制部７ｓは、一部を兼用する形態により実施する場合を示したが、全部を兼用してもよいし、兼用することなく、それぞれ別々に構成してもよい。一方、ロック凸部７ｐは、規制部７ｓの形状を変更し、規制部７ｓの一部として形成してもよいし、他の構成要素の形状変更等によっては必ずしも設けることを要しない。また、逃げ凹部７ｇも他の構成要素の形状変更等によっては必ずしも設けることを要しない。加えて、弾性部７ｄも、ストラップ着脱部材７の全体の形状変更や厚さ変更等によっては必ずしも設けることを要しない。なお、ストラップ着脱部材７は、合成樹脂素材により一体成形することが望ましいが、金属素材など、他の素材により形成することも可能である。その他、グリップ部３，ストラップ部４，緩衝石突部５の形状，構成，形態は例示であり、同様の機能を有する各種の形状，構成，形態により実施可能である。さらに、ポール本体部２は、上ポール材２ｕと下ポール材２ｄの二本のポール材を組合わせた例を示したが、三本以上のポール材２ｕ…を組合わせてもよいし、一本のポール材により構成してもよい。
【産業上の利用可能性】
【００５６】
本発明に係るウォーキングポールは、ノルディックウォーキングをはじめ、各種用途におけるウォーキングポールとして利用できる。
【符号の説明】
【００５７】
１：ウォーキングポール，２：ポール本体部，３：グリップ部，３ｒ：グリップ部の背面部位，４：ストラップ部，５：緩衝石突部，６：ストラップ装着孔部，６ｒ：ストラップ装着孔部の一端開口，６ｆ：ストラップ装着孔部の他端開口，６ｉ：ストラップ装着孔部の内面，６ｆｅ：他端開口のエッジ部，６ｒｓ：一端開口の規制爪部，７：ストラップ着脱部材，７ｃ：固定爪部，７ｊ：結合部，７ｓ：規制部，７ｐ：ロック凸部，７ｇ：逃げ凹部，７ｄ：弾性連結部，１１：装着バンド部，１４：結合バンド部，１４ｔ：結合バンド部の他端側，１４ｓ：結合バンド部の一端側，１４ｂ：バックル，Ｘｇｒ：一側外面位置，Ｘｇｆ：他側外面位置，Ｆｓ：長手方向，Ｘｆ：ストラップ着脱部材の前端部，Ｘｒ：ストラップ着脱部材の後端部，Ｘｍ：中間部位，Ｈｈ：使用者の手
【図１】
2020081691.tif 000003
【図２】
2020081691.tif 000004
【図３】
2020081691.tif 000005
【図４】
2020081691.tif 000006
【図５】
2020081691.tif 000007
【図６】
2020081691.tif 000008
【図７】
2020081691.tif 000009
【図８】
2020081691.tif 000010
【図９】
2020081691.tif 000011
【図１０】
2020081691.tif 000012
【図１１】
2020081691.tif 000013